(57)【要約】【課題】  特別な精紡機を必要とせず、通常の紡績機械で製造でき、自然な感じのムラを持ったムラ糸の製造方法を提供する。【解決手段】  コーマー落綿などの短い繊維を多く含む原綿をリカバリーフィーダ１０に投入し、これからカード２０に供給してカードスライバａを形成する。このカードスライバａを２本揃えて直接粗紡機３０に供給して粗糸ｂを形成する。この粗糸ｂを２本揃えて精紡機４０に供給して精紡糸ｃを形成する。原綿には多くの短い繊維があり、また、繊維の平行度の悪いカードスライバを直接粗紡機に供給するので、精紡糸に自然な感じのムラが形成される。【選択図】    図１
2006225814.tif 000002
【特許請求の範囲】
【請求項１】
短い繊維を多く含む原綿をカードに供給してカードスライバを形成する工程と、該カードスライバを直接粗紡機に供給して粗糸を形成する工程と、該粗糸を精紡機に供給して精紡糸を形成する工程とを有することを特徴とするムラ糸の製造方法。
【請求項２】
前記短い繊維を多く含む原綿が、少なくとも一部に落綿を含むことを特徴とする請求項１に記載のムラ糸の製造方法。
【請求項３】
前記落綿が、コーマーの落綿であることを特徴とする請求項２に記載のムラ糸の製造方法。
【請求項４】
前記カードスライバを直接粗紡機に供給して粗糸を形成する工程が、複数のカードスライバから１本の粗糸を形成することを特徴とする請求項１から３のいずれかに記載のムラ糸の製造方法。
【請求項５】
前記粗糸を精紡機に供給して精紡糸を形成する工程が、複数の粗糸から１本の精紡糸を形成することを特徴とする請求項１から４のいずれかに記載のムラ糸の製造方法。
【請求項６】
前記カードがスライバの太さを調整するスライバ重量調節機能を有していることを特徴とする請求項１から５のいずれかに記載のムラ糸の製造方法。
【請求項７】
短い繊維を多く含む原綿を、カードに着脱自在なリカバリーフィーダからカードに供給することを特徴とする請求項１から６のいずれかに記載のムラ糸の製造方法。
【発明の詳細な説明】
【技術分野】
【０００１】
本発明は精紡糸の製造方法に関し、特に、ムラ糸を製造する方法に関する。
【背景技術】
【０００２】
自然な太細ムラのある糸は、手作りの風合と外観とを持つ糸として市場で人気がある。従来、このムラのある糸の製造方法としては種々の方法が検討されてきた。例えば、精紡機のドラフトパートにおけるバックローラを変速自在なサーボモータと直結させ、コンピュータ等の出力によってバックローラの回転運動を紡出中に適宜変化させる方法がある。これによりドラフト倍率を変化させ、太糸部分と細糸部分がランダムに混在する精紡糸を製造することができる。
【０００３】
また、特許文献１（特開昭６３−１１２７３９号）では、リング精紡機におけるドラフトローラのうちミドルローラを可変速モータにより独立して駆動させ、ランダムな時間間隔で増減速させてムラ糸を得る方法が開示されている。この方法によると、撚数及び糸の番手（糸の太さ）は一定であるが、２０〜８０ｃｍ周期の糸ムラを作ることができる。
【０００４】
しかしながら、これらの精紡糸は、ムラの周期が長く、人工的なムラ糸となり、自然な感じが乏しく、人に与える快適感は十分なものではない。
【０００５】
これに対し、自然なムラを与えるものとして、特許文献２（特開平７−２６８７２８号）では、１／ｆゆらぎのムラを与える精紡機を提案している。ムラを与える方法としては、ドラフトパートを構成するフロントローラ、ミドルローラ、バックローラのいずれかの表面速度を変化させることにしている。
【特許文献１】特開昭６３−１１２７３９号
【特許文献２】特開平７−２６８７２８号
【発明の開示】
【発明が解決しようとする課題】
【０００６】
しかしながら、特許文献１，２の方法は、ムラをコントロールするための装置が高額となり、糸の製造コストが高くなる。また、特別な精紡機が必要であり、通常の精紡機では紡糸できない。また、特許文献２の方法は、特許文献１の方法よりも自然な感じに近いが、構成がより複雑になる。フロントローラの速度を変化させる場合は、精紡糸の紡出速度が変化するので、スピンドル回転も併せて変化させることになる。そのため、さらに機構が複雑になる。
【０００７】
本発明は、このような実情から考えられたもので、特別な精紡機を必要とせず、通常の紡績機械で製造でき、自然な感じのムラを持ったムラ糸の製造方法を提供しようとするものである。
【課題を解決するための手段】
【０００８】
上記の目的を達成するために本発明のムラ糸の製造方法は、短い繊維を多く含む原綿をカードに供給してカードスライバを形成する工程と、該カードスライバを直接粗紡機に供給して粗糸を形成する工程と、該粗糸を精紡機に供給して糸を形成する工程とを有することを特徴としている。
【０００９】
短い繊維を多く含む原綿としては、繊維長の短い原綿や、紡績機械の各工程における落綿を使用することができる。特に、コーマー落綿は、夾雑物が少ないことから望ましい。あるいは、通常の原綿にコーマ落綿などの各種の落綿を混入させてもよい。
【００１０】
カードスライバから直接粗紡機で粗糸を作る工程では、複数本のカードスライバを合わせてドラフトし、１本の粗糸を作ることにしてもよい。また、粗糸から精紡糸を作る場合も、複数本の粗糸を合わせて１本の精紡糸にすることもできる。
【００１１】
上記手段によれば、以下のような作用が得られる。
【００１２】
精紡糸は、スライバや粗糸に繰り返しダブリングやドラフトを加えることで作られる。ドラフトとは、表面速度が異なる２対のローラ対の速度の低い方からスライバや粗糸を入れて速度の早い方で引っ張ることをいう。スライバや粗糸がローラ対間を通過することで引っ張られて細くなり、同時に繊維の向きが揃えられていく。このドラフトを繰り返すことで繊維の平行度を上げ、糸にできる太さムラ（以後「糸ムラ」という）を少なくすることができる。また、ドラフトする際に供給側のスライバや粗糸を複数本にして排出側で１本に纏める、いわゆるダブリングをすることで糸の番手の均一化を図ることができる。
【００１３】
原綿には、繊維長が３０ｍｍ程度の長いものから数ｍｍ以下の短いものまで様々な長さのものが混合している。このような原綿からなるスライバや粗糸をドラフトすると、長い繊維長の部分はドラフトに応じて整然と移動していくのに対し、短い繊維や平行度の悪い繊維は、ローラ対の間に浮遊して固まって移動する傾向がある。これが、糸に節糸などの糸ムラを作る大きな原因となっている。
【００１４】
本発明は、この現象を逆に利用したものである。すなわち、短い繊維を多く含む原綿でカードスライバを作り、これを直接粗紡機に供給してドラフトして軽く撚りを加えてムラのある粗糸を作る。この粗糸を精紡機に供給し、所望の太さになるようにドラフトし、撚りを加えて糸にする。短い繊維を多く含む原綿を使用することから、糸ムラが出来やすくなる。また、カードスライバを練条機に通さない分だけドラフト回数が減少する。そのため、繊維の平行度が下がり、この点からも糸ムラができやすくなる。
【００１５】
カードスライバを粗紡機に供給するときと、粗糸を精紡機に供給するときに、複数本を供給するダブリングをすることで、糸が極端に細くなったり、太くなったりするのを防止することができる。
【発明の効果】
【００１６】
本発明によれば、従来のムラ糸の製造方法に比べて練条機を通過させていないので、製造工程を単純化することができる。また、ローラの表面速度（回転速度）を変更できるようにした特殊な精紡機が不要となり、通常の精紡機で紡出できる。また、本発明でできる糸ムラは、短い周期のものが多くなり、自然な感じのムラ糸になる、という優れた効果を奏する。
【００１７】
原綿の全てを落綿としたり、一部に落綿を使用すると、落綿の価格は原綿より安いので、原料代が非常に安価になり、精紡糸の製造コストを下げることができる。コーマー落綿を使用すると、ゴミや夾雑物が少ないので、混打綿機を使用する必要がなくなり、工程が簡略化できる。粗紡機で複数のカードスライバから１本の粗糸を形成したり、精紡機で複数の粗糸から１本の精紡糸を紡出することにすると、精紡糸の番手変動率を低くすることができ、糸の太い、細いのバラツキを減少させることができる。
【００１８】
カードがスライバ重量調節機能を有していると、同じく、精紡糸の番手変動率を低くすることができ、糸の太い、細いのバラツキを減少させることができる。
【００１９】
リカバリーフィーダを使用することで、小ロットの生産が可能になる。
【発明を実施するための最良の形態】
【００２０】
以下、本発明の実施の形態を添付図面を参照して説明する。
【００２１】
図１から図３は、本発明のムラ糸製造の工程を示す図である。図１はリカバリーフィーダとカードとを連結した図で、原綿を投入してカードスライバを形成する工程である。リカバリーフィーダ１０は、移動用の車輪１０ａを備え、多数のカードの中のいずれかとの接続や離反が比較的簡単な作業で可能である。
【００２２】
原綿としては、実施例ではコーマー落綿を使用した。ただし、原綿はコーマー落綿に限定されず、繊維長の短い低質の原綿や、紡績機械の各工程における落綿や、原綿に各種の落綿を混入させたものを使用することができる。夾雑物の多い原綿を使用する場合は、リカバリーフィーダ１０ではなく通常の混打綿機で除塵してからカードに供給するようにしてもよい。混打綿機は、１台で数十台のカードに供給する能力があるので、大量生産に向いている。
【００２３】
本発明の実施例のようにコーマー落綿を使用すると、コーマー落綿は、夾雑物が非常に少なく、繊維がきれいであることから、混打綿機を通過させる必要がなく、リカバリーフィーダ１０のみでよくなるので、工程が簡素化される。またリカバリーフィーダを使用することでカード１台単位の小ロット生産が可能になる。
【００２４】
リカバリーフィーダ１０の内部には、ホッパ１１があり、ホッパ１１には、下部に原綿を搬送するコンベア１２がある。コンベア１２上に載せられた原綿は図１の右側に送られ、スパイクドラチス１３で斜め上方にかき上げられる。スパイクドラチス１３の上方には適当な間隔を保ってイブナーローラ１４があり、かき上げた原綿の余剰分を掻き落としてホッパ１１内に戻す。落とされた原綿はコンベア１２で再度スパイクドラチス１３に送り込まれ、かき上げられる。ホッパ１１内では、このようにして原綿を繰り返しかき回して混合し、均質化を図っている。
【００２５】
スパイクドラチス１３とイブナーローラ１４との間の間隔を変更することで、リカバリーフィーダ１０からカード２０に供給される綿量が調整される。そして、スパイクドラチス１３で斜め上方にかき上げられ、イブナーローラ１４で掻き落とされなかった原綿は、スパイクドラチス１３の反対側を落下し、ホッパ１１の排出ローラ１５によりカード２０に供給される。ホッパ１１の後方には板状のダンパ１６があり、その上端を回動軸として揺動自在になっている。この揺動角度によりホッパ１１内の原綿の量を検知することができる。
【００２６】
リカバリーフィーダ１０から出てきた原綿は、カード２０のフィードローラ２１に供給される。カード２０には、テーカーイン２２、シリンダ２３、フラット２４、ドッファ２５等があり、これらによって通常のカーディングが行われ、ドッファ２５の表面に原綿のウェブが形成される。このウェブはローラコーム等によりドッファ２５から掻き取られ、カレンダーローラ２６に収束されてカードスライバａとなる。カードスライバａは、コイラ２７でケンス２８内に収容される。
【００２７】
本発明のカード２０は、スライバ重量調節機能のついたものが使用されている。すなわち、カレンダーローラ２６にカードスライバａの太さを測るセンサ２６ａを設け、このセンサ２６ａが計測した数値に基づいて、モータ２１ａでフィードローラ２１の回転速度を調整する構成である。このような構成にすることで、カードスライバａの太さのバラツキをＣＶ％で５％程度に抑えることができる。
【００２８】
なお、カードスライバａの太さのバラツキを示すＣＶ％は、カードスライバの５又は６ヤード（約４．５又は５．４ｍ）の長さ当たりの重さを多数個所で秤量し、測定値の平均値と標準偏差値とを算出し、標準偏差値を平均値で割って％で表示したものである。この数値は、糸の番手のバラツキに影響するもので、本発明が目的としている糸ムラとは性質の異なる概念である。
【００２９】
図２は粗紡機の１錘部分だけを取り出した要部の斜視図である。粗紡機３０は、従来の粗紡機と全く同じもので、その上部にドラフトパートを備えている。ドラフトパートは、トランペット３１、バックローラ３２、サードローラ３３、セカンドローラ３４及びフロントローラ３５とから構成されている。セカンドローラ３４には、エプロン３４ａ，３４ｂが取り付けられている。各ローラは上下の対になっており、上下のローラが圧接することで、スライバ等をニップする。そして、サードローラ３３とバックローラ３２の間でブレーキドラフトが行われ、セカンドローラ３４とフロントローラ３５との間では、エプロンによるメインドラフトが行われる。サードローラ３３とセカンドローラ３４との間は、テンション程度のドラフトとなっている。各ローラのニップ点間の距離は原綿の最大の繊維長より若干長くなっている。以上の構成によって、バックローラ３２からフロントローラ３５へ進むにつれ、カードスライバａはドラフトを受け、粗糸ｂとなる。
【００３０】
ドラフト工程では、スライバ中の長い繊維は、繊維の先端が次のローラ対のニップ点に達すると、繊維の後端は前のローラ対のニップ点を離れたばかりなので、先端側にある繊維から順次引き抜かれて整然とドラフトされる。一方、長い繊維でも折れ曲がった繊維や短い繊維は、繊維の先端が前のローラ対のニップ点を離れるとまもなく後端も離れ、それからかなりの時間を経てから繊維の先端が次のローラ対のニップ点に達する。したがって、繊維の両端がニップされていない状態が長く続く。この状態にある繊維を浮遊繊維というが、この浮遊繊維は、纏まって移動する傾向がある。そのため、短い繊維が多いスライバー等をドラフトすると、短い繊維の部分が固まって膨らみ、ムラになる。短い繊維の量を適当に調整することによって、所望のムラを作ることができる。このムラは、自然な感じの強いもので、かつ、ムラの周期もローラの表面速度を変更して形成したムラに比べて短い。
【００３１】
なお、ドラフトにはバックローラ３２、サードローラ３３間におけるドラフトのようにローラ間で行われる場合と、セカンドローラ３４とフロントローラ３５間におけるようにエプロン３４ａ，３４ｂによるドラフトの２通りがある。エプロンドラフトの方が浮遊繊維のコントロールができ、ムラができにくいが、いずれのドラフトであっても、短い繊維は浮遊繊維となり、ムラの原因となる。
【００３２】
カードスライバａはバックローラ３２からフロントローラ３５を通過するまでに、各ローラ間でドラフトされて粗糸ｂとなってフロントローラから紡出される。粗糸ｂは、フライヤ３６によって緩い撚りを加えられ、同時に木管に巻き取られる。この粗糸ｂは通常の粗糸に比べてムラの多いものである。
【００３３】
図３は、リング精紡機４０の１錘部分の要部を示す斜視図である。粗糸ｂはバックローラ４２とミドルローラ４３との間でブレーキドラフト作用を受け、ミドルローラ４３とフロントローラ４４との間でメーンドラフト作用を受け、繊維はフロントローラ４４より偏平なリボン状のフリースとして紡出される。
【００３４】
一方、高速で回転するスピンドル４５、リング４６及びリング４６上を回転するトラベラ４７の作用で発生する加撚作用は、ガイドであるスネールワイヤ４８を経てフロントローラ４４のフリース紡出部に撚り上がり、リボン状のフリースを加撚して精紡糸ｃにする。精紡糸ｃは、スピンドル４５に嵌合されスピンドル４５と一体で回転するボビン４９に巻き取られる。
【００３５】
このリング精紡機４０によるドラフトの際にも、元の粗糸ｂを構成する繊維の平行度が低く、かつ、短い繊維が多く含まれているので、浮遊繊維が多くなり、巻き取られた精紡糸ｃには、周期の短いランダムなムラが多数できている。
【００３６】
通常の粗紡機では１本の粗糸は１本のスライバーから形成されるが、本発明の実施例では、図２に示すように、１つのトランペット３１に２本のカードスライバａを供給し、１本の粗糸としている。また、通常の精紡機では１本の粗糸から１本の精紡糸を紡出するが、本発明では、２本の粗糸ｂをトランペット４１からバックローラ４２に供給し、１本の精紡糸ｃにしている。
【００３７】
このように本発明では粗紡機と精紡機で２本のスライバ又は粗糸を供給していることについて、以下に説明する。通常の紡績方法では、カードスライバａを練条機に２回通す。このとき６〜８本のスライバから１本のスライバにするダブリングも併せて行うので、練条機でのダブリング本数は、６×６から７×８となり、合計で３６〜５６本となる。このようなダブリングを繰り返すことで、糸の番手変動率、すなわち、糸の太さの変動を小さくすることができる。
【００３８】
これに対し、本発明の実施例では、練条機を使用しないので、練条機によるダブリングを行っていない。その代わりとして、２本のカードスライバａを粗紡機３０に供給し、１本の粗糸にするダブリングを行っている。また、精紡機に２本の粗糸を供給し、１本の糸としている。したがって、ダブリング本数は合計で２×２＝４本となり、従来の練条機を２回通過させる精紡糸に対し、非常に少ない。そのため、番手変動率が大きくなる可能性がある。そこで、本発明では、カード２０に、スライバ重量調節機能を設けたものを使用している。カードスライバの重量の変動を小さくすることで、ダブリング本数を少なくしても番手変動率の上昇を抑えることを可能にしている。
【００３９】
なお、ダブリング本数は粗紡機、精紡機各２本のダブリングに限定されず、１本でも良いし３本以上のダブリングにすることも可能である。また、カードスライバの太さの変動が少ない場合はダブリング無しにしてもよい。また、いずれの場合でも、スライバ重量調節機能の無いカードを使用することができる。
【００４０】
〔紡出例〕
コーマ落綿１００％の原綿をリカバリーフィーダ１０に投入し、スライバ重量調節機能の付いたカード２０を通して２００ゲレン／５ヤード（１２．９６×１０―２Ｎ／４．５７５ｍ）の太さのカードスライバａを得た。
【００４１】
このカードスライバａを２本揃えて粗紡機３０に供給し、２００ゲレン／３０ヤード（１２．９６×１０―２Ｎ／２５．４５ｍ）の太さの１本の粗糸ｂとした。粗紡機３０におけるドラフトは１２倍である。
【００４２】
こうして形成された粗糸ｂを２本揃えてリング精紡機４０に供給し、１本の８番手の精紡糸ｃとした。リング精紡機４０におけるドラフトは１２．８倍であった。この精紡糸は、規則性のない、短い周期の自然な感じの糸ムラを有するものとなった。
【００４３】
上記の実施例では、原綿はコーマ落綿１００％としたが、コーマ落綿の混合割合は、５０〜１００％の範囲で使用可能である。コーマ落綿以外に混入するものは、通常の原綿である。コーマ落綿の割合が５０％未満になると、ムラが目立たなくなり、また、コストダウンのメリットが少なくなるからである。
【００４４】
コーマ落綿の平均繊維長は通常の原綿の繊維長よりかなり短く、１３ｍｍ程度である。そのため、細い精紡糸の紡出には不向きで、５〜３０番手の太さのものに適している。３０番手を越える細い精紡糸は、精紡機における糸切れが増加し、紡出が困難になり、５番手未満の太い精紡糸は、通常のリング精紡機では太すぎて紡出に不適当となるからである。
【図面の簡単な説明】
【００４５】
【図１】リカバリーフィーダとカードとを連結した図である。
【図２】粗紡機の１錘部分だけを取り出した要部の斜視図である。
【図３】精紡機の１錘部分の要部を示す斜視図である。
【符号の説明】
【００４６】
ａ      カードスライバ
ｂ      粗糸
ｃ      精紡糸
１０    リカバリーフィーダ
２０    カード
３０    粗紡機
４０    リング精紡機
【図１】
2006225814.tif 000003
【図２】
2006225814.tif 000004
【図３】
2006225814.tif 000005